(57)【要約】【課題】  利用者による携帯端末の操作性を向上させる技術を提供すること。【解決手段】  携帯端末は、利用者が把持可能な本体と、前記本体の前面に設けられている操作部と、前記本体の後面に設けられており、前記利用者の指を挿入可能なベルトと、を備えており、前記ベルトは、前記本体の後面において、上端位置と下端位置との間で上下方向にスライド可能である。【選択図】図１
2018128791.tif 000002
【特許請求の範囲】
【請求項１】
携帯端末であって、
利用者が把持可能な本体と、
前記本体の前面に設けられている操作部と、
前記本体の後面に設けられており、前記利用者の指を挿入可能なベルトと、
を備えており、
前記ベルトは、前記本体の後面において、上端位置と下端位置との間で上下方向にスライド可能である、
携帯端末。
【請求項２】
前記ベルトは、
前記携帯端末の姿勢が、前記上端位置が前記下端位置よりも高い位置に配置される正立状態から、前記下端位置が前記上端位置よりも高い位置に配置される倒立状態に変化する場合に、前記本体の後面において、前記下端位置に向かう方向にスライドし、
前記携帯端末の姿勢が、前記倒立状態から前記正立状態に変化する場合に、前記本体の後面において、前記上端位置に向かう方向にスライドする、請求項１に記載の携帯端末。
【請求項３】
前記携帯端末は、さらに、
前記本体の後面のうちの前記上端位置と前記下端位置との間の所定位置に前記ベルトを保持するための保持部を備える、請求項１又は２に記載の携帯端末。
【請求項４】
前記保持部は、
ねじりコイルばねを含み、
前記ねじりコイルばねが弾性変形されていない状態では、前記所定位置に前記ベルトを保持し、
前記ねじりコイルばねが弾性変形されている状態では、前記所定位置に前記ベルトを保持しない、請求項３に記載の携帯端末。
【請求項５】
前記携帯端末は、さらに、
前記上端位置と前記下端位置とを結ぶ軸の水平面に対する傾きを検出するセンサを備え、
前記保持部は、
前記センサによって、所定の閾値よりも小さい傾きが検出される場合に、前記ベルトを前記所定の位置に保持し、
前記センサによって、前記所定の閾値よりも大きい傾きが検出される場合に、前記ベルトを前記所定の位置に保持しない、請求項３に記載の携帯端末。
【請求項６】
前記保持部は、
前記ベルトが前記上端位置に配置されている場合に、前記ベルトを前記上端位置に保持し、
前記ベルトが前記下端位置に配置されている場合に、前記ベルトを前記下端位置に保持する、請求項３から５のいずれか一項に記載の携帯端末。
【発明の詳細な説明】
【技術分野】
【０００１】
本明細書で開示する技術は、操作部を備える携帯端末に関する。
【背景技術】
【０００２】
特許文献１には、操作ボタンとタッチパネルとを備える携帯端末が開示されている。携帯端末は、さらに、利用者が携帯端末のケース本体を把持する際に指を挿入するためのベルトユニットを備える。
【先行技術文献】
【特許文献】
【０００３】
【特許文献１】特開２０１３−５０８０７号公報
【発明の概要】
【発明が解決しようとする課題】
【０００４】
特許文献１の技術では、利用者は、通常、片手のみを用いて携帯端末を利用する。具体的には、利用者は、ベルトユニットに親指を除く指を挿入してケース本体を把持し、親指で操作ボタン又はタッチパネルを操作する。この場合、ベルトユニットに挿入された指が動かしにくいため、例えば、操作ボタン及びタッチパネルが携帯端末の広範囲に亘って配置されている場合に、利用者は、親指が操作ボタン又はタッチパネルの操作部分に届きにくくなる可能性がある。本明細書では、利用者による携帯端末の操作性を向上させる技術を開示する。
【課題を解決するための手段】
【０００５】
本明細書が開示する携帯端末は、利用者が把持可能な本体と、前記本体の前面に設けられている操作部と、前記本体の後面に設けられており、前記利用者の指を挿入可能なベルトと、を備えており、前記ベルトは、前記本体の後面において、上端位置と下端位置との間で上下方向にスライド可能である。
【０００６】
上記の携帯端末では、利用者は、指をベルトに挿入した状態で、ベルトを本体の後面において、上端位置と下端位置との間で上下方向にスライドさせることができる。これにより、利用者は、ベルトをスライドさせることによって、ベルトに挿入された指を、操作部を操作しやすい位置に移動させることができる。従って、上記の携帯端末によると、利用者による携帯端末の操作性を向上させることができる。
【図面の簡単な説明】
【０００７】
【図１】携帯端末の斜視図を示す。
【図２】第１実施例の携帯端末の後面図を示す。
【図３】図２のＩＩＩ−ＩＩＩ断面図を示す。
【図４】ベルトが上端位置の近くに配置されている状態の携帯端末の斜視図を示す。
【図５】ベルトが下端位置の近くに配置されている状態の携帯端末の斜視図を示す。
【図６】第２実施例の携帯端末の後面図を示す。
【図７】ベルトを保持するための保持部を説明する図を示す。
【図８】第３実施例の携帯端末の後面図を示す。
【図９】図８のＩＸ−ＩＸ断面図を示す。
【図１０】携帯端末の処理のフローチャートを示す。
【図１１】第４実施例の携帯端末の後面図を示す。
【発明を実施するための形態】
【０００８】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【０００９】
（特徴１）  前記ベルトは、前記携帯端末の姿勢が、前記上端位置が前記下端位置よりも高い位置に配置される正立状態から、前記下端位置が前記上端位置よりも高い位置に配置される倒立状態に変化する場合に、前記本体の後面において、前記下端位置に向かう方向にスライドし、前記携帯端末の姿勢が、前記倒立状態から前記正立状態に変化する場合に、前記本体の後面において、前記上端位置に向かう方向にスライドしてもよい。
【００１０】
特徴１の構成によると、携帯端末の姿勢が正立状態と倒立状態の間で変化すること応じて、ベルトがスライドする。即ち、利用者は、携帯端末の姿勢を変化させることによって、ベルトに挿入された指を容易に移動させることができる。
【００１１】
（特徴２）  前記携帯端末は、さらに、前記本体の後面のうちの前記上端位置と前記下端位置との間の所定位置に前記ベルトを保持するための保持部を備えていてもよい。
【００１２】
（特徴３）  前記保持部は、ねじりコイルばねを含み、前記ねじりコイルばねが弾性変形されていない状態では、前記所定位置に前記ベルトを保持し、前記ねじりコイルばねが弾性変形されている状態では、前記所定位置に前記ベルトを保持しなくてもよい。
【００１３】
特徴２，３の構成によると、携帯端末は、ベルトを所定位置に保持することができる。これにより、利用者の意図に反してベルトがスライドし、ベルトに挿入された指が利用者の意図しない位置に移動してしまうことを防止し得る。
【００１４】
（特徴４）  前記携帯端末は、さらに、前記上端位置と前記下端位置とを結ぶ軸の水平面に対する傾きを検出するセンサを備え、前記保持部は、前記センサによって、所定の閾値よりも小さい傾きが検出される場合に、前記ベルトを前記所定の位置に保持し、前記センサによって、前記所定の閾値よりも大きい傾きが検出される場合に、前記ベルトを前記所定の位置に保持しなくてもよい。
【００１５】
利用者が携帯端末を操作する際、携帯端末の本体の前面は上側に向けられる場合が多い。また、本体の背面のうち、上端位置と下端位置とを結ぶ軸は、水平面に対して比較的小さく傾けられる場合が多い。特徴４の構成によると、携帯端末の姿勢が、利用者が携帯端末を操作する可能性が高い姿勢である場合に、ベルトを所定位置に保持することができる。そのため、利用者が携帯端末を操作している間に、ベルトがスライドするのを防止し得る。
【００１６】
（特徴５）  前記保持部は、前記ベルトが前記上端位置に配置されている場合に、前記ベルトを前記上端位置に保持し、前記ベルトが前記下端位置に配置されている場合に、前記ベルトを前記下端位置に保持しなくてもよい。
【００１７】
ベルトが、ベルトの可動域のうちの最も上側の位置（即ち上端位置）に配置されている場合、利用者は、ベルトに挿入された指をできる限り上側の位置に保持したい可能性が高い。この場合、ベルトが下端位置に向かってスライドすることは、利用者の意図に反する可能性が高い。また、ベルトが、ベルトの可動域のうちの最も下側の位置（即ち下端位置）に配置されている場合、利用者は、ベルトに挿入された指をできる限り低い位置に保持したい可能性が高い。この場合、ベルトが上端位置に向かってスライドすることは、利用者の意図に反する可能性が高い。特徴５の構成によると、携帯端末は、これらの場合に、利用者の意図に反して、ベルトが移動することを防止することができる。
【実施例】
【００１８】
（第１実施例）
図１〜図５を参照して、本実施例の携帯端末１０ａについて説明する。図１に示すように、携帯端末１０ａは、情報コード（例えば、バーコードや２次元コード）を読み取るための光学情報読取装置である。携帯端末１０ａは、本体２と、表示画面４と、操作部５と、２個のキーボタン６（ただし、図１では１個のキーボタンのみが図示されている）と、読み取り部７と、を備える。以下では、本体２の各面のうち、図中の座標系のＸＹ平面に平行であり、Ｚ軸の正方向に向いた面を「前面」と呼ぶ。本体２の各面のうち、図中の座標系のＸＹ平面に平行であり、Ｚ軸の負方向に向いた面を「後面」と呼ぶ。本体２の各面のうち、図中の座標系のＹＺ平面に平行である２個の面をそれぞれ「側面」と呼ぶ。本体２の端部のうち、Ｙ軸の負方向、正方向の端部をそれぞれ「上端」、「下端」と呼ぶ。
【００１９】
表示画面４は、本体２の前面に設けられている液晶画面である。表示画面４は、読み取られた情報コードに記録された情報、操作部５に入力された情報等を表示することができる。また、表示画面４は、いわゆるタッチパネルとしても機能する（即ち操作部としても機能する）。操作部５は、本体２の前面に設けられている。操作部５は、表示画面４から見て、Ｙ軸の正方向に位置する。操作部５は、複数のボタンによって構成される。利用者は、操作部５を操作することによって、様々な指示を携帯端末１０ａに入力することができる。
【００２０】
本体２の２個の側面のそれぞれには、キーボタン６が設けられている。利用者が２個のキーボタン６のうちの一方又は両方を側面の表面に向かう方向（Ｘ軸方向）に押下すると、読み取り指示が携帯端末１０ａに入力される。読み取り指示は、携帯端末１０ａが読み取り部７を利用して情報コードを読み取るための指示である。
【００２１】
本体２の下面には、ゴム製のベルト９が設けられている。Ｘ軸方向から見たベルト９は、輪状形状を有する。ベルト９（詳しくはベルト９の内部空間）には、利用者の親指を除く４本の指を挿入可能である。利用者は、４本の指をベルト９に挿入した状態で本体２を把持することができる。詳しくは後述するが、ベルト９は、本体２の後面において、上端位置と下端位置との間で上下方向（即ちＹ軸方向）にスライド可能である。
【００２２】
図２に示されるように、本体２の後面には、Ｙ軸方向に沿って溝１２が設けられている。図３に示されるように、ＸＺ平面に切断した溝１２の断面は、Ｚ軸の負方向を上側としたＴ字形状を有する。
【００２３】
溝１２には、スライド部材１４が嵌合されている。ＸＺ平面に切断したスライド部材１４の断面は、溝１２の断面と略同じ形状を有するが、やや小さく構成されている。Ｙ軸方向において、スライド部材１４の長さは、溝１２の長さよりも小さい。スライド部材１４は、本体２の内部からＺ軸の正方向に突出した突出部１４ａを備える。突出部１４ａには、ベルト９が接合されている。Ｙ軸方向において、突出部１４ａの長さは、ベルト９の長さに略等しい。これにより、スライド部材１４及びベルト９は、本体２の後面において、溝１２に沿って上端位置と下端位置との間で上下方向にスライド可能である。
【００２４】
図４及び図５を参照して、ベルト９がスライドする仕組みを説明する。なお、図４及び図５では、図面の下方向が重力方向である。図４では、携帯端末１０ａの姿勢が、上端位置が下端位置よりも高い位置に配置される状態（以下では「正立状態」と呼ぶ）である。この場合では、利用者の指によって固定されているベルト９の位置を基準として、本体２が、重力によってＹ軸の正方向に引っ張られる。換言すると、本体２の位置を基準として、ベルト９が、Ｙ軸の負方向に引っ張られる。この場合に、ベルト９に接合されたスライド部材１４が、Ｙ軸の負方向に引っ張られることによって溝１２内を上端位置に向かってスライドし、溝１２の上端に接触する。その結果、ベルト９は、上端位置に配置される。図４の状態では、利用者の親指が表示画面４の近くに位置しているため、利用者は、容易にタッチパネルを操作することができる。なお、以下では、スライド部材１４がスライドすることに伴ってベルト９が移動することを、「ベルト９がスライドする」と記載することがある。
【００２５】
図５では、携帯端末１０ａの姿勢が、下端位置が上端位置よりも高い位置に配置される状態（以下では「倒立状態」と呼ぶ）である。この場合では、利用者の指によって固定されているベルト９の位置を基準として、本体２は、重力によってＹ軸の負方向に引っ張られる。換言すると、本体２の位置を基準として、ベルト９は、Ｙ軸の正方向に引っ張られる。この場合に、ベルト９に接合されたスライド部材１４が、Ｙ軸の正方向に引っ張られることによって溝１２内を下端位置に向かってスライドし、溝１２の下端に接触する。その結果、ベルト９は、下端位置に配置される。図５の状態では、利用者の親指が操作部５の近くに位置しているため、利用者は、操作部５を容易に操作することができる。
【００２６】
利用者は、携帯端末１０ａの姿勢を、図４の正立状態と図５の倒立状態の間で相互に変化させることができる。携帯端末１０ａの姿勢が正立状態から倒立状態に変化する場合に、ベルト９は、本体２の後面において、Ｙ軸の正方向に（即ち、下端位置に向かう方向に）スライドする。また、携帯端末１０ａの姿勢が倒立状態から正立状態に変化する場合に、ベルト９は、本体２の後面において、Ｙ軸の負方向に（即ち、上端位置に向かう方向に）スライドする。
【００２７】
（第１実施例の効果）
本実施例の携帯端末１０ａでは、利用者は、指をベルト９に挿入した状態で、ベルト９を本体２の後面において、上端位置と下端位置との間で上下方向（即ちＹ軸方向）にスライドさせることができる（図４及び図５参照）。これにより、利用者は、ベルト９をスライドさせることによって、ベルト９に挿入された指を、タッチパネル又は操作部５を操作しやすい位置に移動させることができる。従って、携帯端末１０ａによると、利用者による携帯端末１０ａの操作性を向上させることができる。
【００２８】
また、携帯端末１０ａの姿勢が図４の正立状態と図５の倒立状態の間で変化することに応じて、ベルト９がスライドする。即ち、利用者は、携帯端末１０ａの姿勢を変化させることによって、ベルト９に挿入された指を容易に移動させることができる。
【００２９】
（第２実施例）
図６及び図７を参照して、本実施例について第１実施例とは異なる点を中心に説明する。本実施例の携帯端末１０ｂは、ベルト９を所定位置に保持するための保持部２１ａ〜２１ｄを備える。
【００３０】
本実施例の携帯端末１０ｂの各部２、４、５、６、７、９、１２、１４は、第１実施例と同様である。携帯端末１０ｂでは、図６及び図７に示されるように、本体２の後面は、ベルト９を保持するための４個の保持部２１ａ〜２１ｄを備える。保持部２１ａ〜２１ｄは、支柱２２ａ〜２２ｄと、支柱２２ａ〜２２ｄに捲回されているねじりばね２４ａ〜２４ｄと、を含む。
【００３１】
保持部２１ａでは、ねじりばね２４ａの中央部が支柱２２ａに捲回されている。ねじりばね２４ａの両端部が弾性変形していない状態では、ねじりばね２４ａの一方の端部２５ａは、Ｘ軸の負方向に向かって延びており、ねじりばね２４ａの他方の端部２６ａは、Ｙ軸の負方向に向かって延びている。端部２６ａは回動しないように固定されている。保持部２１ｂは、Ｙ軸方向に沿って延びる中心線Ｌ１を対称軸として、保持部２１ａと対称な構成を備える。保持部２１ｃ、２１ｄは、Ｘ軸方向に沿って延びる中心線Ｌ２を対称軸として、それぞれ、保持部２１ａ、２１ｂと対称な構成を備える。
【００３２】
図６に示されるように、ベルト９の位置が下端位置である（即ち、携帯端末１０ｂの姿勢が図５の倒立状態である）場合の各保持部２１ａ〜２１ｄとベルト９との関係について説明する。ねじりばね２４ａのＸ軸の負方向に向かって延びる端部２５ａと、ねじりばね２４ｂのＸ軸の正方向に向かって延びる端部２５ｂと、は、スライド部材１４（図３参照）の上端に接することによって、ベルト９を下端位置に保持している。ねじりばね２４ｃのＸ軸の負方向に向かって延びる端部２５ｃは、スライド部材１４によって押されて、支柱２２ｃを支点として左回りに回転する位置に移動している（即ちねじりばね２４ｃが弾性変形している）。他方の端部２６ｃは固定されているため、位置が変化していない。同様に、ねじりばね２４ｄのＸ軸の正方向に向かって延びる端部２５ｄは、スライド部材１４によって押されて支柱２２ｄを支点として右回りに回転する位置に移動している（即ちねじりばね２４ｄが弾性変形している）。他方の端部２６ｄは固定されているため、位置が変化していない。この状態のねじりばね２４ｃ、２４ｄは、スライド部材１４の端部に接していない。即ち、この状態のねじりばね２４ｃ、２４ｄは、ベルト９の下端位置への保持に寄与していない。
【００３３】
携帯端末１０ｂの姿勢が図６の倒立状態から正立状態に変化する場合のベルト９の動きについて説明する。ここで、正立状態を、上端位置と下端位置との高さの差が小さい（即ち、上端位置と下端位置とを結ぶ軸の水平面に対する傾きが小さい）第１の正立状態と、上端位置と下端位置との高さの差が大きい（上端位置と下端位置とを結ぶ軸の水平面に対する傾きが大きい）第２の正立状態と、に分類する。なお、以下では、上端位置と下端位置とを結ぶ軸の水平面に対する傾きを「傾き」と呼ぶ。
【００３４】
携帯端末１０ｂの姿勢が第１の正立状態又は第２の正立状態に変化する場合に、本体２の位置を基準として、スライド部材１４は、Ｙ軸の負方向に引っ張られる。これにより、スライド部材１４は、ねじりばね２４ａ、２４ｂをＹ軸の負方向に押し上げる。この場合に、ねじりばね２４ａ、２４ｂを押し上げる力が一定値以上である場合に、ねじりばね２４ａ、２４ｂは弾性変形するが、当該力が一定値未満である場合に、ねじりばね２４ａ、２４ｂはほとんど弾性変形しない。
【００３５】
第１の正立状態では、本体２の傾きが小さいので、本体２にかかる重力のＹ軸成分は小さい。そのため、ベルト９及びスライド部材１４を引っ張る力は小さく、スライド部材１４がねじりばね２４ａ、２４ｂの各端部２５ａ、２５ｂを押し上げる力は、一定値未満である。そのため、ねじりばね２４ａ、２４ｂはほとんど弾性変形しない。その結果、第１の正立状態では、ねじりばね２４ａ、２４ｂはベルト９を下端位置に保持し続ける。
【００３６】
一方、第２の正立状態では、本体２の傾きが大きいので、本体２にかかる重力のＹ軸成分は大きい。そのため、ベルト９及びスライド部材１４を引っ張る力は大きく、スライド部材１４がねじりばね２４ａ、２４ｂの各端部２５ａ、２５ｂを押し上げる力は、一定値以上である。そのため、ねじりばね２４ａ、２４ｂが弾性変形する。即ち、ねじりばね２４ａの端部２５ａは、支柱２２ａを支点として、右回りに回転するように移動し、ねじりばね２４ｂの端部２５ｂは、支柱２２ｂを支点として、左回りに回転するように移動する。その結果、第２の正立状態では、ねじりばね２４ａ、２４ｂがベルト９を下端位置に保持する状態が解除され、ベルト９がＹ軸の負方向にスライドする。
【００３７】
図示省略しているが、ベルト９の位置が下端位置である（即ち、携帯端末１０ｂの姿勢が図４の正立状態である）場合の各保持部２１ａ〜２１ｄとベルト９との関係について説明する。上記の通り、ねじりばね２４ａの端部２５ａは、支柱２２ａを支点として、右回りに回転する位置に移動している。ねじりばね２４ｂの端部２５ｂは、支柱２２ｂを支点として、左回りに回転する位置に移動している。この状態のねじりばね２４ａ、２４ｂは、スライド部材１４の端部に接していない。即ち、この状態のねじりばね２４ａ、２４ｂは、ベルト９の上端位置への保持に寄与していない。一方、ねじりばね２４ｃの端部２５ｃと、ねじりばね２４ｄの端部２５ｄと、は、スライド部材１４による押圧が解除され、弾性力によって元の位置に戻る。元の位置に戻った端部２５ｃ及び端部２５ｄがスライド部材１４の下端に接することによって、ベルト９が上端位置に保持される。
【００３８】
携帯端末１０ｂの姿勢が正立状態から倒立状態に変化する場合のベルト９の動きについて説明する。ここで、倒立状態を、上端位置と下端位置との高さの差が小さい（即ち、上端位置と下端位置とを結ぶ軸の水平面に対する傾きが小さい）第１の倒立状態と、上端位置と下端位置との高さの差が大きい（上端位置と下端位置とを結ぶ軸の水平面に対する傾きが大きい）第２の倒立状態と、に分類する。
【００３９】
第１の倒立状態及び第２の倒立状態について、上述の第１の正立状態及び第２の正立状態と同様に考察することができる。即ち、第１の倒立状態では、ねじりばね２４ｃ、２４ｄはベルト９を上端位置に保持する。第２の倒立状態では、ねじりばね２４ｃ、２４ｄがベルト９を上端位置に保持する状態が解除され、ベルト９がＹ軸の正方向にスライドする。
【００４０】
（第２実施例の効果）
本実施例の携帯端末１０ｂでも、第１実施例と同様に、利用者による携帯端末１０ｂの操作性を向上させることができる。また、本実施例では、携帯端末１０ｂは、ねじりばね２４ａ〜２４ｄによってベルト９を上端位置又は下端位置に保持することができる。これにより、利用者の意図に反してベルト９がスライドし、ベルト９に挿入された指が利用者の意図しない位置に移動してしまうことを防止し得る。具体的には、利用者は、携帯端末１０ｂの姿勢を倒立状態から第１の正立状態に変化させても、ベルト９を下端位置に維持することができる。また、利用者は、携帯端末１０ｂの姿勢を正立状態から第１の倒立状態に変化させても、ベルト９を上端位置に維持することができる。
【００４１】
また、ベルト９が、上端位置に配置されている場合、利用者は、ベルト９に挿入された指をできる限り上側の位置に保持したい可能性が高い。この場合、ベルト９が下端位置に向かってスライドすることは、利用者の意図に反する可能性が高い。また、ベルト９が、下端位置に配置されている場合、利用者は、ベルト９に挿入された指をできる限り低い位置に保持したい可能性が高い。この場合、ベルト９が上端位置に向かってスライドすることは、利用者の意図に反する可能性が高い。本実施例では、携帯端末１０ｂは、ベルト９が上端位置又は下端位置に配置されている場合に、ねじりばね２４ａ〜２４ｄによってベルト９を保持するため、利用者の意図に反して、ベルト９が移動することを防止することができる。
【００４２】
（第３実施例）
図８〜図１０を参照して、本実施例について第１実施例とは異なる点を中心に説明する。本実施例の携帯端末１０ｃでは、携帯端末１０ｃ内のＣＰＵ（図示省略）が保持部３３を制御する。
【００４３】
本実施例の携帯端末１０ｃの各部２、４、５、６、７、９は、第１実施例と同様である。本実施例では、溝３２及びスライド部材１４の構造が第１実施例と異なる。また、図９に示されるように、携帯端末１０ｃは、さらに、本体２の内部にセンサ３１を備える。センサ３１は、本体２の傾きを検出するための傾斜センサ、加速度センサ等である。
【００４４】
図８に示されるように、本体２の後面には、Ｙ軸方向に沿って溝３２が設けられている。Ｘ軸方向における溝３２の幅は、基本的には一定である。ただし、溝３２のＹ軸方向に沿って、Ｘ軸の正方向に突出した突出溝部３２ａ、３２ｃと、Ｘ軸の負方向に突出した突出溝部３２ｂ、３２ｄと、が設けられている。突出溝部３２ａ、３２ｂはＸ軸に沿って対向しており、突出溝部３２ｃ、３２ｄはＸ軸に沿って対向している。
【００４５】
スライド部材１４の突出部１４ａは、Ｘ軸の正方向及び負方向に向いた２個の面に、それぞれ、保持部３３を備える。２個の保持部３３は、Ｙ軸方向における突出部１４ａの中央付近に配置されている。２個の保持部３３は、突出部１４ａからＸ軸の正方向及び負方向に突出した突出状態（図９参照）と、突出部１４ａの内部に格納され、突出部１４ａから突出していない非突出状態と、の間で変化する伸縮機構（図示省略）を内蔵している。伸縮機構は、携帯端末１０ｃ内のＣＰＵが後述の図１０の処理を実行することによって制御される。
【００４６】
図８に示されるように、ベルト９が下端位置に配置され（即ち、携帯端末１０ｃの姿勢が図５の倒立状態であり）、２個の保持部３３が突出状態である場合に、図９に示されるように、２個の保持部３３は、突出溝部３２ｃ、３２ｄに嵌合される。この場合に、２個の保持部３３は、ベルト９を下端位置に保持する。また、図示省略しているが、ベルト９が上端位置に配置され（即ち、携帯端末１０ｃの姿勢が図４の正立状態であり）、２個の保持部３３が突出状態である場合に、２個の保持部３３は、突出溝部３２ａ、３２ｂに嵌合される。この場合に、２個の保持部３３は、ベルト９を上端位置に保持する。
【００４７】
図１０を参照して、携帯端末１０ｃが備えるＣＰＵ（図示省略）が実行する処理について説明する。Ｓ１０では、ＣＰＵは、センサ３１によって所定の閾値よりも小さい傾きが検出されるか否かを判断する。ＣＰＵは、所定の閾値よりも小さい傾きが検出される場合（Ｓ１０でＹＥＳ）に、Ｓ２０に進み、所定の閾値以上の傾きが検出される場合（Ｓ１０でＮＯ）に、Ｓ３０に進む。
【００４８】
Ｓ２０では、ＣＰＵは、伸縮機構を動作させ、２個の保持部３３を突出状態に変化させる。なお、Ｓ２０の時点で２個の保持部３３が既に突出状態である場合、ＣＰＵは、伸縮機構を動作させず、２個の保持部３３の突出状態を維持する。これにより、ベルト９が現在の位置（即ち下端位置又は上端位置）に保持される。Ｓ２０が終了すると、Ｓ１０に戻る。
【００４９】
Ｓ３０では、ＣＰＵは、伸縮機構を動作させ、２個の保持部３３を非突出状態に変化させる。なお、Ｓ３０の時点で２個の保持部３３が既に非突出状態である場合、ＣＰＵは、伸縮機構を動作させず、２個の保持部３３の非突出状態を維持する。これにより、ベルト９が保持されなくなる。即ち、ベルト９がスライド可能となる。Ｓ３０が終了すると、Ｓ１０に戻る。
【００５０】
（第３実施例の効果）
本実施例の携帯端末１０ｃでも、第１実施例と同様に、利用者による携帯端末１０ｃの操作性を向上させることができる。
【００５１】
利用者が携帯端末１０ｃを操作する際、携帯端末１０ｃの本体２の前面は上側に向けられる場合が多い。また、本体２の傾きが比較的小さい場合が多い。本実施例では、携帯端末１０ｃの姿勢が、利用者が携帯端末１０ｃを操作する可能性が高い姿勢である場合（図１０のＳ１０でＹＥＳ）に、ベルト９を上端位置又は下端位置に保持することができる（Ｓ２０）。そのため、利用者が携帯端末１０ｃを操作している間に、ベルト９がスライドするのを防止し得る。また、本実施例では、ＣＰＵを利用した制御によって、ベルト９のスライドを自動的に防止することができる。
【００５２】
（第４実施例）
図１１を参照して、本実施例について第１実施例とは異なる点を中心に説明する。本実施例の携帯端末１０ｄは、利用者が保持部４１ａ〜４１ｄを操作する。
【００５３】
本実施例の携帯端末１０ｃの各部２、４、５、６、７、９、１４は、第１実施例と同様である。本実施例では、溝４２の構造が第１実施例と異なる。図１１に示されるように、本体２の後面には、Ｙ軸方向に沿って溝４２が設けられている。Ｘ軸方向における溝４２の幅は、基本的には一定である。ただし、溝４２のＹ軸方向に沿って、Ｘ軸の正方向に突出した突出溝部４２ａ、４２ｃと、Ｘ軸の負方向に突出した突出溝部４２ｂ、４２ｄと、が設けられている。突出溝部４２ａ、４２ｂはＸ軸に沿って対向しており、突出溝部４２ｃ、４２ｄはＸ軸に沿って対向している。
【００５４】
携帯端末１０ｄは、ベルト９を保持するための４個の保持部４１ａ〜４１ｄを備える。保持部４１ａ〜４１ｄは、係止部材４３ａ〜４３ｄと、押しばね４４ａ〜４４ｄと、を備える。
【００５５】
保持部４１ａの構成を説明する。保持部４１ａの係止部材４３ａは、突出溝部４２ａ内をＸ軸方向に沿ってスライド可能である。係止部材４３ａは、押しばね４４ａによって、Ｘ軸方向の負方向（即ち溝４２の方向）に付勢されている。係止部材４３ａがスライド部材１４によって押されていない間（即ち、押しばね４４ａが弾性変形していない間）には、係止部材４３ａの先端部（即ち、Ｘ軸の負方向側端部）は、中心線Ｌ１の位置に配置される（即ち溝４２内に突出する）。保持部４１ｂは、中心線Ｌ１を対称軸として、保持部４１ａと対称な構成を備える。保持部４１ｃ、４１ｄは、中心線Ｌ２を対称軸として、それぞれ、保持部４１ａ、４１ｂと対称な構成を備える。保持部４１ｃに示すように、係止部材４３ｃがスライド部材１４によって押されている間（即ち、押しばね４４ｃが弾性変形している間）には、係止部材４３ｃの先端部は溝４２内に突出せず、突出溝部４２ｃ内に収容される。保持部４１ｄも同様に、係止部材４３ｄがスライド部材１４によって押されている間（即ち、押しばね４４ｄが弾性変形している間）には、係止部材４３ｄの先端部は溝４２内に突出せず、突出溝部４２ｄ内に収容される。
【００５６】
図１１に示されるように、ベルト９が下端位置に配置されている（即ち、携帯端末１０ｄの姿勢が図５の倒立状態である）場合の各保持部４１ａ〜４１ｄとベルト９との関係について説明する。保持部４１ａ、４１ｂの係止部材４３ａ、４３ｂは、スライド部材１４によって押されていない。そのため、押しばね４４ａ、４４ｂが弾性変形せず、係止部材４３ａ、４３ｂの先端部は中心線Ｌ１の位置に配置される。そして、このような位置に配置される係止部材４３ａ、４３ｂがスライド部材１４（図３参照）の上端に接することによって、ベルト９を下端位置に保持している。一方、係止部材４３ｃ、４３ｄは、スライド部材１４によって押されることによって押しばねが弾性変形し、突出溝部４２ｃ、４２ｄ内に収容された状態である。この状態の係止部材４３ｃ、４３ｄは、スライド部材１４の端部に接しておらず、ベルト９の下端位置への保持に寄与していない。
【００５７】
本実施例では、携帯端末１０ｄの姿勢が倒立状態から正立状態に変化する場合であっても、係止部材４３ａ、４３ｂの位置が自動的に変化しないため、ベルト９は下端位置に保持され続ける。この場合、利用者が、指で係止部材４３ａ、４３ｂをＸ軸の両方向に広げると、スライド部材１４（即ちベルト９）の下端位置への保持が解除され、スライド部材１４がＹ軸の負方向に向かってスライドする。
【００５８】
図示省略しているが、ベルト９が下端位置に配置されている（即ち、携帯端末１０ｂの姿勢が図４の正立状態である）場合の各保持部４１ａ〜４１ｄとベルト９との関係について説明する。保持部４１ｃ、４１ｄの係止部材４３ｃ、４３ｄは、スライド部材１４によって押されていない。そのため、押しばね４４ｃ、４４ｄが弾性変形せず、係止部材４３ｃ、４３ｄの先端部は中心線Ｌ１の位置に配置される（即ち溝４２内に突出する）。そして、このような位置に配置される係止部材４３ｃ、４３ｄがスライド部材１４（図３参照）の下端に接することによって、ベルト９を上端位置に保持している。一方、係止部材４３ａ、４３ｂは、スライド部材１４によって押されることによって押しばねが弾性変形し、突出溝部４２ａ、４２ｂ内に収容された状態である。この状態の係止部材４３ａ、４３ｂは、スライド部材１４の端部に接しておらず、ベルト９の上端位置への保持に寄与していない。
【００５９】
携帯端末１０ｄの姿勢が正立状態から倒立状態に変化する場合であっても、係止部材４３ｃ、４３ｄの位置が自動的に変化しないため、ベルト９は上端位置に保持され続ける。この場合、利用者が、指で係止部材４３ｃ、４３ｄをＸ軸の両方向に広げると、スライド部材１４（即ちベルト９）の上端位置への保持が解除され、スライド部材１４がＹ軸の正方向に向かってスライドする。
【００６０】
（第４実施例の効果）
本実施例の携帯端末１０ｄでも、第１実施例と同様に、利用者による携帯端末１０ｄの操作性を向上させることができる。また、ベルト９が上端位置又は下端位置に保持されている状態で、利用者は、係止部材４３ａ〜４３ｄを操作することによって、ベルト９を上端位置または下端位置に保持するのか否かを選択することができる。
【００６１】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００６２】
（変形例１）上記の各実施例では、携帯端末１０ａ〜１０ｄの姿勢に応じて、ベルト９がスライドしている。変形例では、例えば、利用者がボタン操作することによって、ベルト９がスライドしてもよい。即ち、「ベルト」は、携帯端末の姿勢の変化に応じてスライドしなくてもよい。
【００６３】
（変形例２）上記の各実施例において、ベルト９が、上端位置及び下端位置とは異なる位置に保持されるように、保持部がさらに配置されていてもよい。
【符号の説明】
【００６４】
２：本体
４：表示画面
５：操作部
６：キーボタン
７：読み取り部
９：ベルト
１０ａ〜１０ｄ：携帯端末
１２、３２、４２：溝
１４：スライド部材
１４ａ：突出部
２１ａ〜２１ｄ、３３、４１ａ〜４１ｄ：保持部
２２ａ〜２２ｄ：支柱
２４ａ〜２４ｄ：ねじりばね
２５ａ〜２５ｄ：端部
３１：センサ
３２ａ〜３２ｄ、４２ａ〜４２ｄ：突出溝部
４３ａ〜４３ｄ：係止部材
Ｌ１、Ｌ２：中心線
【図１】
2018128791.tif 000003
【図２】
2018128791.tif 000004
【図３】
2018128791.tif 000005
【図４】
2018128791.tif 000006
【図５】
2018128791.tif 000007
【図６】
2018128791.tif 000008
【図７】
2018128791.tif 000009
【図８】
2018128791.tif 000010
【図９】
2018128791.tif 000011
【図１０】
2018128791.tif 000012
【図１１】
2018128791.tif 000013